(57)【要約】【課題】屋外が暗いときにも、採光空間の有効利用が可能となる建物の提供。【解決手段】外壁８の正面視で、外装部材33及び内装部材34における互いに重なり合う部位に透光性を有する外側透光部36及び内側透光部37を設け、これらの外側透光部36及び内側透光部37を通じて屋外の光を屋内に取り入れるようにし、且つ、外装部材33及び内装部材34で筒状の通気ダクト30を形成する。これにより、通気ダクト30として形成された採光空間は、屋外が明るいときは、採光空間及び換気空間の両方に有効利用することができるうえ、屋外が暗いときにも、換気空間として有効利用することができる。【選択図】    図１
2011017217.tif 000002
【特許請求の範囲】
【請求項１】
外壁の屋外面を形成する外装部材と、当該外壁の屋内面を形成する内装部材との間に、当該外壁に沿って上下方向に延びる通気ダクトが設けられた建物であって、
前記通気ダクト、前記外装部材及び前記内装部材には、前記外壁の正面視で互いに重なり合う部位に透光性を有する透光部が形成され、
前記外壁の屋内側に設けられた部屋は、前記通気ダクト、前記外装部材及び前記内装部材の透光部を通じて、屋外の光が取り入れられるように形成され、
前記通気ダクトは、屋外空間と屋内空間とを相互に連通するために、少なくとも一部分が屋外空間に臨んで開口された屋外通気口に接続されるとともに、これとは異なる部分が屋内空間に臨んで開口された屋内通気口に接続されていることを特徴とする建物。
【請求項２】
各階には、日照の得やすい日向側に臨んで配置された日向側部屋と、日照の得にくい日陰側に臨んで配置された日陰側部屋とが設けられ、
前記外壁は、日向側に配置され、
各階の部屋と部屋とを仕切る間仕切壁のそれぞれには、二つの部屋を相互に連通する通気連通口が設けられ、
１階の日陰側部屋には、床下の空間と連通させるための床下連通口が設けられ、
２階以上の各階に設けられた日陰側部屋には、下階の空間と連通させるための下階連通口が設けられ、
前記通気ダクトは、各階の日向側部屋と屋外空間とを相互に連通するために、各階の日向側部屋の内部空間に臨んで開口された屋内通気口に接続され、
前記床下連通口から入った屋外の空気が前記下階連通口を通って上階側へ上昇するとともに、前記通気連通口を通って日向側へ流れ、さらに、前記屋内通気口及び前記通気ダクトを通って前記屋外通気口に達し、この屋外通気口から屋外へ排出されるように形成されていることを特徴とする請求項１記載の建物。
【請求項３】
屋根の表面から上方へ突出する換気塔が設けられ、
この換気塔の側面に前記屋外通気口が開口され、
前記通気ダクトにおける最上階に形成された屋内通気口と、前記屋外通気口との間に、内部を流れる空気の流通を遮断するためのダンパが設けられていることを特徴とする請求項１又は２記載の建物。
【発明の詳細な説明】
【技術分野】
【０００１】
本発明は、  外壁の屋外面を形成する外装部材と、当該外壁の屋内面を形成する内装部材との間に、当該外壁に沿って上下方向に延びる通気ダクトが設けられ、この通気ダクトで屋外空間と屋内空間とを相互に連通して換気が可能となった建物に関する。
【背景技術】
【０００２】
従来から、屋外の自然光を取り入れるための窓がない部屋に、屋外の自然光を取り入れるための採光構造が設けられた建物がある。
例えば、建物の最上階において、建物の中央部となるコア部に部屋が形成された場合、このコア部の部屋には、屋外に臨んで開口された窓がないので、屋外から当該部屋まで自然光を導くために、屋根に開口されるとともに、屋根からコア部の部屋にまで延びる採光孔と、透光性を有するドーム状に形成されるとともに、前述の採光孔を塞ぐ笠部材とを有する採光構造が建物の設けられることがある。
【０００３】
ここで、建物としては、下階と上階との間に、床から天井までの高さ寸法が１階層として認定される寸法よりも小さくされ、例えば、通常の部屋の階高の半分程度に物にされるとともに、内部に多くの物が収納可能となった収納空間を備えた収納空間付建物が利用されている。
このような収納空間付建物によれば、収納空間が１階層として扱わさないでの、三階建ての建物の建築が行えない地域でも、１階と２階の間に多くの物を収納するのに充分なサイズの収納空間を設けることができ、居室を物で狭くすることがなく、居室空間の有効利用を図ることができる。
【０００４】
ところで、前述のような採光構造では、屋根に開口した採光孔を通じて採光を行うので、最上階以外の部屋に対しては屋外の自然光を導くことができないという問題がある。
この問題を解決するために、下階と上階との間に形成された収納空間を、光を導く通路である導光路として利用する建物が提案されている。
【０００５】
更に具体的に説明すると、建物には、下階と上階との間に収納空間が形成され、この収納空間は、コア部の部屋の直上位置まで延ばされているとともに、この収納空間の内面全体が反射鏡となっている。そして、屋内に光を取り入れるために、屋根に開口された採光孔と、この採光孔から収納空間まで上下方向に延びる採光ダクトとが設けられ、屋外の自然光が収納空間の内部に取り込まれようにし、さらに、コア部の部屋の天井に、収納空間から光を取り込む光取込口が設けられている。
このようにすれば、収納空間を通じて自然光を下階中央部まで導くことができるので、屋外に臨む窓を設置できないコア部の部屋にも自然光の採光が図れるようになる（例えば、特許文献１参照）。
【０００６】
また、建物に設けられた吹き抜け部分と、この吹き抜け部分の２階に設けられたバルコニーとを組み合わせることで、コア部に配置された部屋に屋外の自然光が取り込まれるようにした建物が知られている。
すなわち、建物の２階の外壁は、１階の外壁よりも室内側へセットバックしている。また、２階よりも外壁が外側へ張り出した１階の上には、２階の床とほぼ同じ高さレベルの床を備えたバルコニーが形成されている。そして、このバルコニーに面する外壁は、透光性を備えたものとなっている。
このような建物によれば、バルコニーに面する外壁が透光性を有するとともに、平面視で屋内側へ後退し、しかも、当該外壁の内部が吹き抜けとなっているので、バルコニーに面する外壁を通って室内に入った自然光は、吹き抜け部分を通って、吹き抜けとなった１階の部屋よりも奥の部屋へ達することができ、これにより、コア部に配置された部屋にも屋外の自然光を取り込むことができる（例えば、特許文献２参照）。
【先行技術文献】
【特許文献】
【０００７】
【特許文献１】特開２００８−１６３６８２号公報
【特許文献２】特開２００８−１４０８６号公報
【発明の概要】
【発明が解決しようとする課題】
【０００８】
しかしながら、自然光を屋内に取り込むための採光空間として、前述のような導光路を採用した場合、導光路の内部に物が置かれると、物が導光路の鏡を覆って、導光路の内部に取り込まれた自然光を遮断してしまう。
従って、このような採光空間は、物を収納するための空間として利用できないうえ、自然光の採光以外の他の用途も考えられないので、夜間等、屋外が暗いときには有効利用できない無用な空間となってしまう。このため、屋外が暗いときにも、当該採光空間を有効利用できるようにしたい、という要望がある。
【０００９】
また、前述のように吹き抜け部分とバルコニーとを組み合わせた採光空間を設け、この採光空間で自然光を取り込むようにした場合、このような採光空間でも、夜間等、屋外が暗いときに、当該採光空間を有効利用できない。このため、この場合にも前述の場合と同様に、屋外が暗いときにも有効利用できるようにしたい、という要望がある。
【００１０】
そこで、各請求項にそれぞれ記載された各発明は、上記した従来の技術の有する問題点に鑑みてなされたものであり、その目的とするところは、屋外が暗いときにも、採光空間の有効利用が可能となる建物を提供することである。
【課題を解決するための手段】
【００１１】
各請求項にそれぞれ記載された各発明は、前述の目的を達成するためになされたものである。以下に、各発明の特徴点を、図面に示した発明の実施の形態を用いて説明する。
なお、符号は、発明の実施の形態において用いた符号を示し、本発明の技術的範囲を限定するものではない。
【００１２】
（請求項１）
（特徴点）
請求項１記載の発明は、次の点を特徴とする。
すなわち、請求項１に記載された発明は、外壁(８)の屋外面を形成する外装部材(33)と、当該外壁(８)の屋内面を形成する内装部材(34)との間に、当該外壁(８)に沿って上下方向に延びる通気ダクト(30)が設けられた建物であって、前記通気ダクト(30)、前記外装部材(33)及び前記内装部材(34)には、前記外壁(８)の正面視で互いに重なり合う部位に透光性を有する透光部(36, 37)が形成され、前記外壁(８)の屋内側に設けられた部屋(12A,12B,22A,22B) は、前記通気ダクト(30)、前記外装部材(33)及び前記内装部材(34)の透光部(36, 37)を通じて、屋外の光が取り入れられるように形成され、前記通気ダクト(30)は、屋外空間と屋内空間とを相互に連通するために、少なくとも一部分が屋外空間に臨んで開口された屋外通気口(31)に接続されるとともに、これとは異なる部分が屋内空間に臨んで開口された屋内通気口(35)に接続されていることを特徴とする。
【００１３】
（請求項２）
（特徴点）
請求項２記載の発明は、前述した請求項１に記載の発明において、次の特徴点を備えているものである。
すなわち、請求項２記載の発明は、各階に、日照の得やすい日向側に臨んで配置された日向側部屋(12A,12B,22A,22B) と、日照の得にくい日陰側に臨んで配置された日陰側部屋(12E, 22E)とが設けられ、前記外壁(８)は、日向側に配置され、各階の部屋(12A〜12E,22A〜22E) と部屋(12A〜12E,22A〜22E) とを仕切る間仕切壁(11, 21)のそれぞれには、二つの部屋(12A〜12E,22A〜22E) を相互に連通する通気連通口(14)が設けられ、１階の日陰側部屋(12E) には、床下の空間(５)と連通させるための床下連通口(15)が設けられ、２階以上の各階に設けられた日陰側部屋(22E) には、下階の空間と連通させるための下階連通口(25)が設けられ、前記通気ダクト(30)は、各階の日向側部屋(12A,12B,22A,22B) と屋外空間とを相互に連通するために、各階の日向側部屋(12A,12B,22A,22B) の内部空間に臨んで開口された屋内通気口(35)に接続され、前記床下連通口(15)から入った屋外の空気が前記下階連通口(25)を通って上階側へ上昇するとともに、前記通気連通口(14)を通って日向側へ流れ、さらに、前記屋内通気口(35)及び前記通気ダクト(30)を通って前記屋外通気口(31)に達し、この屋外通気口(31)から屋外へ排出されるように形成されていることを特徴とする。
【００１４】
（請求項３）
（特徴点）
請求項３記載の発明は、前述した請求項１又は２に記載の発明において、次の特徴点を備えているものである。
すなわち、請求項３記載の発明は、屋根(６)の表面から上方へ突出する換気塔(７)が設けられ、この換気塔(７)の側面に前記屋外通気口(31)が開口され、前記通気ダクト(30)における最上階に形成された屋内通気口(35)と、前記屋外通気口(31)との間に、内部を流れる空気の流通を遮断するためのダンパ(40)が設けられていることを特徴とする。
【発明の効果】
【００１５】
（請求項１の効果）
以上のように構成されている本発明は、以下に記載されるような効果を奏する。
すなわち、請求項１記載の発明によれば、外壁の正面視で、通気ダクト、外装部材及び内装部材における互いに重なり合う部位に透光性を有する透光部を設け、この透光部を通じて屋外の光が取り入れられるようにしたので、屋外が明るいときには、通気ダクトが採光空間として有効に利用することができる。
ここで、採光空間しての通気ダクトは、屋外通気口及び屋内通気口の両方に接続され、屋外空間と屋内空間とを相互に連通するものとなっているので、屋外が明るさにかかわらず、換気を行うための空間として有効に利用できる。
従って、通気ダクトとして形成された採光空間は、屋外が明るいときは、採光空間及び換気空間の両方に有効利用することができるうえ、屋外が暗いときには、換気空間として有効利用することができ、これにより、前記目的が達成される。
【００１６】
（請求項２の効果）
請求項２記載の発明によれば、上記した請求項１記載の発明の効果に加え、次のような効果を奏する。
すなわち、請求項２記載の発明によれば、各階の部屋を仕切る間仕切壁に通気連通口を開口し、日照の得にくい日陰側に臨む１階の日陰側部屋に床下の空間と連通する床下連通口を設け、さらに、２階以上の各階の日陰側部屋に下階の空間と連通する下階連通口を設け、これらにより、床下連通口を通じて屋外から屋外空気を取り込み、下階連通口を通じて屋外空気を上階側へ上昇させるとともに、通気連通口を通じて屋外空気を日向側へ導き、通気ダクトを通じて日向側に達した屋外空気を屋外通気口まで導いて、この屋外通気口から屋外へ排出するようにしたので、屋外通気口を建物の最も高い位置に配置すれば、屋内の温度が高くなると、煙突効果によって、換気扇等を運転しなくとも、自然の力を利用して、屋内の換気が行われるようになる。
ここで、屋内の温度が高い夏季においては、煙突効果によって屋内の換気が行われると、日陰側の床下空間から温度の低い冷気が屋内に取り込まれ、この冷気が日向側へ流れるとともに上階へ上昇していくので、建物１の屋内全体の温度を低下させ、冷房装置の負荷を軽減するので、冷房に要する空調エネルギー消費を低減することができる。
【００１７】
（請求項３の効果）
請求項３記載の発明によれば、上記した請求項１又は２記載の発明の効果に加え、次のような効果を奏する。
すなわち、請求項３記載の発明によれば、屋根面から上方へ突出する換気塔を設け、この換気塔の側面に屋外通気口を開口したので、屋内の温度が高くなると、煙突効果が確実に発生するようになり、夏季には、煙突効果で屋内の温度が低下し、冷房装置の負荷を軽減でき、冷房に要する空調エネルギー消費を確実に低減することができる。
一方、通気ダクトにおける最上階の屋内通気口と、屋外通気口との間に、内部を流れる空気の流通を遮断するためのダンパを設けたので、冬季にダンパを閉鎖すれば、煙突効果の発生が防止され、煙突効果による屋内の温度低下が防止される。これにより、暖房装置の負荷の増大が未然に防止され、暖房時における空調エネルギーの損失を確実に抑止することができる。
【図面の簡単な説明】
【００１８】
【図１】本発明の一実施形態に係る建物を示す断面図である。
【図２】前記実施形態に係る建物の１階南側部分を示す平面図である。
【図３】前記実施形態に係る建物の２階南側部分を示す平面図である。
【発明を実施するための形態】
【００１９】
以下に、本発明を実施するための形態である実施形態について、図面に基づいて説明する。
図１には、本発明の一実施形態に係る建物１が示されている。この建物１は、日本国内の敷地２に打設された基礎３の上に構築された２階建ての建物である。
建物１の基礎３は、いわゆるベタ基礎であり、図１に示すように、建物１の外周縁に沿って形成された立ち上がり部3Aと、この立ち上がり部3Aに囲まれた盆状の底となる底部3Bとを有している。
この基礎３に形成された立ち上がり部3Aには、日本国内において日陰側となる北側（図１中右側）に面した部位に換気口3Cが形成されている。
また、建物１の１階の床４と基礎３の底部3Bとの間には、全体にわたって空気が自由に流通可能となった床下空間５が形成されている。
【００２０】
建物１の１階部分及び２階部分のそれぞれには、その内部空間を仕切る間仕切壁11, 21が複数設けられている。
１階の内部空間には、複数の間仕切壁11によって、複数の部屋12A〜12Eが形成されている。そして、１階の南側（図１中左側）には、図２に示すように、リビングルーム12A 及び和室12B が設けられている。
図１に戻って、２階の内部空間には、複数の間仕切壁21によって、複数の部屋22A〜22Eが形成されている。そして、２階の南側（図１中左側）には、図３に示すように、ベッドルーム22A, 22Bが設けられている。
【００２１】
ここで、建物１には、日照の得やすい日向側、すなわち、南側に臨んで配置された日向側部屋とが設けられている。具体的には、建物１の１階部分には、図２の如く、日向側部屋として、リビングルーム12A 及び和室12B が設けられ、建物１の２階部分には、図３の如く、日向側部屋として、ベッドルーム22A, 22Bが設けられている。
また、建物１には、日照の得にくい日陰側、すなわち、北側に臨んで配置された日陰側部屋とが設けられている。具体的には、建物１の１階部分には、図２の如く、日陰側部屋として、部屋12E が設けられ、建物１の２階部分には、図３の如く、日陰側部屋として、部屋22E が設けられている。
【００２２】
図１に戻って、建物１の屋根６には、その表面である屋根面から上方へ突出する換気塔７が設けられている。
この換気塔７は、建物１の日向側に配置された外壁８と平面視で重なる位置に配置され、且つ、下端側が下方に延びて外壁８の上端縁に接続されている。
また、換気塔７の側面には、後述する通気ダクト30の内部空間と、屋外空間とを連通する屋外通気口31が開口されている。
【００２３】
日向側に配置された外壁８は、図１〜図３に示すように、その屋外面を形成する外装部材33と、その屋内面を形成する内装部材34とを備えたものである。ここで、外壁８の外装部材33と内装部材34との間には、当該外壁８に沿って上下方向に延びる前述の通気ダクト30が設けられている。
この通気ダクト30は、内部に空気を流通させる通気路が形成された筒状の部位であり、筒状の側壁が外装部材33及び内装部材34で形成されたものとなっている。換言すると、外装部材33及び内装部材34が通気ダクト30の側壁を形成する部材となっている。
図１に示すように、内装部材34の各階における天井近傍位置には、通気ダクト30の内部空間と、屋内空間とを連通する屋内通気口35が開口されている。
【００２４】
ここにおいて、通気ダクト30は、屋外空間と屋内空間とを相互に連通するために、換気塔７の内部にまで延びた一端部分が屋外空間に臨んで開口された屋外通気口31に接続されるとともに、これとは異なる部分が各階における日向側部屋の内部空間に臨んで開口された屋内通気口35に接続されている。
【００２５】
また、１階の各間仕切壁11には、隣接する二つの部屋を相互に連通する通気連通口14が設けられている。同様に、２階の各間仕切壁21には、隣接する二つの部屋を相互に連通する通気連通口24が設けられている。
そして、建物１の１階における日照の得にくい北側の外壁９の近傍には、部屋12E の内部空間と床下空間５とを連通させるための床下連通口15が設けられている。
また、建物１の２階における北側の外壁９の近傍には、部屋22E の内部空間と下階の空間である部屋12E の内部空間とを連通させるための下階連通口25が設けられている。
【００２６】
以上において、屋外の空気は、換気口3Cを通じて床下空間５の内部に入り、さらに、床下連通口15から部屋12E の内部に入るようになっている。
そして、床下連通口15から部屋12E の内部に入った屋外の空気は、下階連通口25を通って２階側へ上昇するとともに、通気連通口14, 24を通って日向側へ流れ、さらに、屋内通気口35及び通気ダクト30を通って屋外通気口31に達し、この屋外通気口31から屋外へ排出されるようになっている。
【００２７】
そして、通気ダクト30における２階の屋内通気口35と、屋外通気口31との間には、内部を流れる空気の流通を遮断するためのダンパ40と、屋外通気口31へ向かって空気を送る排気ファン41とが設けられている。
ここで、ダンパ40は、図示しない電動機によって自動的に開閉動作を行うものとなっている。なお、屋内の壁面には、特に図示しないが、ダンパ40の開閉操作を行うためのスイッチが設置されている。
また、排気ファン41は、室内を強制的に換気する必要がある場合に、図示しない電動機によって駆動回転されるものであり、通常は、屋外通気口31へ向かって空気を送る正回転方向に運転される。
なお、排気ファン41は、必要に応じて、屋外通気口31から屋外通気口31へ空気を送る逆回転方向の運転も可能となっている。
【００２８】
外装部材33及び内装部材34の各々には、外壁８の正面視で、１階の部分及び２階の部分のそれぞれにおいて、互いに重なり合う部位に透光性を有する外側透光部36及び内側透光部37が形成されている。
このような外側透光部36及び内側透光部37を通じて、外壁８の屋内側に設けられた部屋、すなわち、１階のリビングルーム12A 及び和室12B 、並びに、２階のベッドルーム22A, 22Bに屋外の光が取り入れられるようになっている。
【００２９】
なお、図２の如く、１階における、リビングルーム12A に対して屋外光の採光を行う通気ダクト30と、和室12B に対して屋外光の採光を行う通気ダクト30との間には、これら二つの通気ダクト30を連結するように延びた広縁13が設けられている。
また、図３の如く、１階における、リビングルーム12A に対して屋外光の採光を行う通気ダクト30と、和室12B に対して屋外光の採光を行う通気ダクト30との間には、これら二つの通気ダクト30を連結するように延びた広縁13が設けられている。
【００３０】
このような本実施形態によれば、外壁８の正面視で、外装部材33及び内装部材34における互いに重なり合う部位に透光性を有する外側透光部36及び内側透光部37を設け、これらの外側透光部36及び内側透光部37を通じて屋外の光を屋内に取り入れるようにしたので、屋外が明るいときには、通気ダクト30を採光空間として有効に利用することができる。
ここで、採光空間しての通気ダクト30は、屋外通気口31及び屋内通気口35の両方に接続され、屋外空間と屋内空間とを相互に連通するものとなっているので、屋外が明るさにかかわらず、換気を行うための空間として有効に利用できる。
従って、通気ダクト30として形成された採光空間は、屋外が明るいときは、採光空間及び換気空間の両方に有効利用することができ、屋外が暗いときにも、換気空間として有効利用することができる。
【００３１】
また、各階の部屋を仕切る間仕切壁11, 21に通気連通口14, 24を開口し、日照の得にくい日陰側に臨む１階の日陰側部屋である部屋12E に床下空間５と連通する床下連通口15を設け、さらに、２階の日陰側部屋である部屋22E に１階の空間と連通する下階連通口25を設け、これらにより、基礎３の立ち上がり部3Aに設けた換気口3Cと床下連通口15とを通じて屋外から屋外空気を取り込み、下階連通口25を通じて屋外空気を上階側へ上昇させるとともに、通気連通口14, 24を通じて屋外空気を日向側へ導き、通気ダクト30を通じて日向側に達した屋外空気を換気塔７の屋外通気口31まで導いて、建物１の最も高い位置に配置された屋外通気口31から屋外へ排出するようにしたので、屋内の温度が高くなると、煙突効果によって、換気扇等を運転しなくとも、自然の力を利用して、屋内の換気を行うことができる。
そして、屋内の温度が高い夏季においては、煙突効果によって屋内の換気が行われ、この換気によって日陰側の床下空間５から温度の低い冷気が屋内に取り込まれ、この冷気が日向側へ流れるとともに上階へ上昇していくので、建物屋内全体の温度を低下させ、冷房装置の負荷を軽減するので、冷房に要する空調エネルギー消費を低減することができる。
【００３２】
さらに、屋根６の表面から上方へ突出する換気塔７を設け、この換気塔７の側面に屋外通気口31を開口したので、屋内の温度が高くなると、煙突効果が確実に発生するようになり、夏季には、煙突効果で屋内の温度が低下し、冷房装置の負荷を軽減でき、冷房に要する空調エネルギー消費を確実に低減することができる。
一方、通気ダクト30における最上階の屋内通気口35と、屋外通気口31との間に、内部を流れる空気の流通を遮断するためのダンパ40を設けたので、冬季にダンパ40を閉鎖すれば、煙突効果の発生が防止され、煙突効果による屋内の温度低下が防止される。これにより、暖房装置の負荷の増大が未然に防止され、暖房時における空調エネルギーの損失を確実に抑止することができる。
【００３３】
なお、本発明は、前記実施形態に限定されるものではなく、本発明の目的を達成できる範囲における変形及び改良などをも含むものである。
すなわち、通気ダクトとしては、外壁８を形成する外装部材33及び内装部材34で筒状の側壁を形成し、外壁８の構成部品で当該通気ダクトの構成部品を兼用した通気ダクト30に限らず、外壁８の構成部品である外装部材33及び内装部材34とは別個に設けた筒状の部材で形成された通気ダクトを採用することもできる。
また、通気ダクトとしては、内部に排気ファン41が設けられた通気ダクト30に限らず、排気ファン41が省略された通気ダクトを採用してもよい。
さらに、建物としては、２階建てのものに限らず、１階のみからなる平屋建ての建物、若しくは、３階以上のフロアを有する建物でもよい。
【符号の説明】
【００３４】
１        建物
５        床下空間
６        屋根
７        換気塔
８        外壁
11, 21    間仕切壁
12A       日向側部屋としてのリビングルーム
12B       日向側部屋としての和室
12C, 12D  (１階の)部屋
12E, 22E  日陰側部屋
14        通気連通口
15        床下連通口
22A, 22B  日向側部屋としてのベッドルーム
22C, 22D  (２階の)部屋
25        下階連通口
30        通気ダクト
31        屋外通気口
33        外装部材
34        内装部材
35        屋内通気口
36        透光部としての外側透光部
37        透光部としての内側透光部
35        屋内通気口
40        ダンパ
【図１】
2011017217.tif 000003
【図２】
2011017217.tif 000004
【図３】
2011017217.tif 000005